(57)【要約】【課題】  利用者が理解し易いシート枚数でステイプル制限を行うとともに、特殊紙のステイプル制限を行いながら、特殊紙を含むステイプル束の作成を可能にする。【解決手段】  ステイプルするシートの総枚数をカウントするカウンタと、特殊紙の枚数をカウントするカウンタを備える。ステイプルを行う前に、総枚数のカウント値が総枚数の上限値以下であることと、特殊紙の枚数カウント値が特殊紙の上限値以下であることを確認して、ともに条件を満たしていれば、ステイプルを行う。または、特殊紙を含む場合は基本的にはステイプルを行わず、特殊紙がシート束の特定の位置にある場合のみステイプルを行う。【選択図】        図２
2007076835.tif 000002
【特許請求の範囲】
【請求項１】
複数のシートを綴じる綴じ手段と、
綴じ処理するシートの総枚数を計測する第１の計測手段と、
前記綴じ処理するシートに含まれる特殊シートの枚数を計測する第２の計測手段と、
前記第１の計測手段による計測値と前記第２の計測手段による計測値に基づいて綴じ処理の可否を判断する判定手段とを有する
ことを特徴とするシート処理装置。
【請求項２】
前記判定手段は、
前記第１の計測手段による計測値が総枚数に関する綴じ処理上限値以下であり、かつ前記第２の計測手段による計測値が特殊シートに関する綴じ処理上限値以下である場合に綴じ処理可能と判断する
ことを特徴とする請求項１記載のシート処理装置。
【請求項３】
前記判定手段は、
前記第２の計測手段による計測値が特殊シートに関する綴じ処理上限値以下であり、かつ前記第１の計測手段による計測値が前記第２の計測手段による計測値に応じて総枚数の綴じ処理上限値を減少させた値以下である場合に綴じ処理可能と判断する
ことを特徴とする請求項１記載のシート処理装置。
【請求項４】
複数のシートを綴じる綴じ手段と、
綴じ処理するシートの総枚数を計測する第１の計測手段と、
前記第１の計測手段の計測値が総枚数に関する綴じ処理上限値以下であり、かつ綴じ処理するシート束の特定の位置に特殊シートがある場合は綴じ処理可能と判断し、特定の位置以外の場合は綴じ処理不可と判断する判定手段とを有する
ことを特徴とするシート処理装置。
【請求項５】
シートの種類が特殊シートであるか否かを検出するシート種検出手段を備え、
前記判定手段は、前記シート種検出手段の検出結果に基づいて、綴じ処理の可否を判定する
ことを特徴とする請求項１乃至４のいずれか１項記載のシート処理装置。
【請求項６】
前記判定手段は、フィルムメディアおよび厚紙を特殊シートと判断するように構成されている
ことを特徴とする請求項１乃至５のいずれか１項記載のシート処理装置。
【請求項７】
シートに画像を形成する画像形成部と、
前記画像形成部から供給されたシートを処理する請求項１乃至６のいずれか１項記載のシート処理装置と、を備えた
ことを特徴とする画像形成装置。
【請求項８】
複数のシートに対して綴じ処理を行うシート処理方法において、
綴じ処理するシートの総枚数を計測するステップと、
前記綴じ処理するシートに含まれる特殊シートの枚数を計測するステップとを有し、
総枚数の計測値が設定された綴じ処理上限値以下であり、かつ特殊シートの計測値が特殊シートの綴じ処理上限値以下であると判断された段階において、前記綴じ処理を実行可能とする
ことを特徴とするシート処理方法。
【請求項９】
複数のシートに対して綴じ処理を行うシート処理方法において、
綴じ処理するシートの総枚数を計測し、
前記総枚数の値が綴じ処理上限値以下であり、かつ綴じ処理するシート束の特定の位置に特殊シートがある場合に綴じ処理可能とする
ことを特徴とするシート処理方法。
【請求項１０】
シートに画像を形成する画像形成部と、
前記画像形成部から供給された複数のシートを綴じる綴じ手段と、
綴じ処理するシートの総枚数を計測する第１の計測手段と、
前記綴じ処理するシートに含まれる特殊シートの枚数を計測する第２の計測手段と、
前記第１の計測手段による計測値と前記第２の計測手段による計測値に基づいて、綴じ処理の可否を判断する判定手段とを有する
ことを特徴とする画像形成装置。
【請求項１１】
前記判定手段は、
前記第１の計測手段による計測値が総枚数に関する綴じ処理上限値以下であり、かつ前記第２の計測手段による計測値が特殊シートに関する綴じ処理上限値以下である場合に綴じ処理可能と判断する
ことを特徴とする請求項１０記載の画像形成装置。
【請求項１２】
前記判定手段は、
前記第２の計測手段による計測値が特殊シートに関する綴じ処理上限値以下であり、かつ前記第１の計測手段による計測値が前記第２の計測手段による計測値に応じて総枚数の綴じ処理上限値を減少させた値以下である場合に綴じ処理可能と判断する
ことを特徴とする請求項１０記載の画像形成装置。
【請求項１３】
シートに画像を形成する画像形成部と、
前記画像形成部から供給された複数のシートを綴じる綴じ手段と、
綴じ処理するシートの総枚数を計測する第１の計測手段と、
前記第１の計測手段による計測値が総枚数に関する綴じ処理上限値以下であり、かつ綴じ処理するシート束の特定の位置に特殊シートがある場合は綴じ処理可能と判断し、特定の位置以外の場合は綴じ処理不可と判断する判定手段とを有する
ことを特徴とする画像形成装置。
【請求項１４】
シートの種類が特殊シートであるか否かを検出するシート種検出手段を備え、
前記判定手段は、前記シート種検出手段の検出結果に基づいて、綴じ処理の可否を判定する
ことを特徴とする請求項１０乃至１３のいずれか１項記載の画像形成装置。
【請求項１５】
前記判定手段は、フィルムメディアおよび厚紙を特殊シートと判断するように構成されている
ことを特徴とする請求項１０乃至１４のいずれか１項記載の画像形成装置。
【発明の詳細な説明】
【技術分野】
【０００１】
この発明は、シート処理装置および画像形成装置に関し、特に、画像形成済みのシートにステイプル処理などの綴じ処理を施す綴じ処理装置を備えた画像形成装置に適用して好適なものである。
【背景技術】
【０００２】
従来の特殊紙のステイプル制限には、ステイプルするシートがステイプルに適さないと判断された場合には、ステイプル動作を行わないように制御するものがある（例えば、特許文献１参照）。また、ステイプルに適さないシートは別のトレイに排出するように制御する技術がある（例えば、特許文献２参照）。
【特許文献１】特開平１０−０８７１４９号公報
【特許文献２】特開２００２−２７４７４４号公報
【発明の開示】
【発明が解決しようとする課題】
【０００３】
しかしながら、上述した従来技術においては、特殊紙のステイプル制限をしつつ、特殊紙を含むシート束をステイプルすることは困難であった。具体的には、それぞれのシートの紙種情報がない、または紙種情報があっても全てを利用していないために、特殊紙の枚数は少なくても、全てのシートが特殊紙であると誤判断してステイプルしない場合があった。
【０００４】
逆に、多くのシートが特殊紙であっても、全てのシートを特殊紙でないと誤判断してステイプルしてしまい、ステイプラに過大な負荷をかける場合があった。または、特殊紙は別の排出口に排出してしまい、特殊紙でないシートのみをステイプルする場合もあった。
【０００５】
従って、この発明の目的は、利用者が理解し易いシート枚数でステイプル制限を行うとともに、特殊紙のステイプル制限を行いながら、特殊紙を含むステイプル束の作成を可能にするシート処理装置およびこれを備えた画像形成装置を提供することにある。
【課題を解決するための手段】
【０００６】
上記目的を達成するために、この発明の第１の発明は、
複数のシートを綴じる綴じ手段と、
綴じ処理するシートの総枚数を計測する第１の計測手段と、
前記綴じ処理するシートに含まれる特殊シートの枚数を計測する第２の計測手段と、
前記第１の計測手段による計測値と前記第２の計測手段による計測値に基づいて綴じ処理の可否を判断する判定手段とを有する
ことを特徴とするものである。
【０００７】
この発明の第２の発明は、
複数のシートを綴じる綴じ手段と、
綴じ処理するシートの総枚数を計測する第１の計測手段と、
前記第１の計測手段の計測値が総枚数に関する綴じ処理上限値以下であり、かつ綴じ処理するシート束の特定の位置に特殊シートがある場合は綴じ処理可能と判断し、特定の位置以外の場合は綴じ処理不可と判断する判定手段とを有する
ことを特徴とするものである。
【発明の効果】
【０００８】
この発明の第１の発明によれば、総枚数のステイプル制限と、特殊紙の枚数でのステイプル制限機能を有しつつ、特殊紙を含むシート束の綴じ処理が可能になる。
【０００９】
また、第２の発明によれば、総枚数のステイプル制限と特殊紙のステイプル制限機能を有しつつ、特定の位置に特殊紙があるシート束の綴じ処理が可能になる。
【発明を実施するための最良の形態】
【００１０】
以下、この発明の一実施形態について図面を参照しながら説明する。図１に、この発明の一実施形態による画像形成装置の構成例を示す。
【００１１】
（プリンタ）
図１は、本発明の実施形態のシート後処理装置を装置本体に装備した画像形成装置の一例であるプリンタの全体構成を示す断面図である。
【００１２】
図１において、プリンタ１１０は、装置本体１００にシート後処理装置３００を着脱可能に装備して構成されている。シート後処理装置３００と装置本体１００は、ケーブルコネクタ（図示せず）によって電気的に接続されている。
【００１３】
プリンタ１１０の装置本体１００は、単独でコンピュータに接続されたり、ＬＡＮなどのネットワークに接続されたりして、コンピュータやネットワークから供給された画像情報に基づいて、画像形成プロセスによりシートに画像形成（印字）して、そのシートを排出する。
【００１４】
すなわち、装置本体１００においては、給送カセット２００内にシートＳが複数枚積載されて、給送ローラ１２１と分離パッド１２２とによって１枚ずつに分離されながら給送カセット２００から送り出される。一方、レーザスキャナユニット１０２は、コンピュータやネットワークから供給された所定のプリント信号に基づいて、レーザ光を感光体１０１に照射する。感光体１０１は、あらかじめ一様に帯電されており、照射されたレーザ光によって潜像を形成される。この潜像は、プロセスカートリッジ１０３によって現像されてトナー画像となる。感光体１０１やプロセスカートリッジ１０３などにより、画像形成部が構成されている。
【００１５】
シートは、トナー画像を形成された感光体１０１と転写器１０４との間に送り込まれる。トナー画像は、転写器１０４によって感光体１０１からシートに転写される。このようなレーザービーム方式の画像形成プロセスによりトナー画像を形成されたシートは、続いて、下流側の定着器１０５で加熱加圧されて、当該トナー画像を永久定着される。
【００１６】
トナー画像が定着されたシートＳは、排出ローラ対１３０に至るまでのほぼＵ字状のシート搬送路で折り返されて画像面が反転され、画像面が下側になった状態で排出ローラ対１３０によってプリンタの装置本体１００からＦＤ排出部１２５にフェイスダウン状態で排出される。ここで、このシートＳは、制御部（図示せず）からの制御信号に基づいてプリンタの装置本体１００のフラッパ１５０の位置が決定される。これによって、シートがプリンタ本体１００の上部に設けたフェイスダウン（ＦＤ）排出部１２５に排出されるか、排出ローラ対１２４によってシート後処理装置３００の積載部３２５に排出されるかが選択される。
【００１７】
シート後処理装置３００は、プリンタ１１０の本体１００から機外に排出されるシートを、シート後処理装置３００内の搬送部を経由して画像面を下側にしたフェイスダウン状態で、シート積載部３０５に載置する。このとき、シートの端部を揃えるシート整合部３７０による整合が行われる。所定のジョブ毎にシートを束ねて、この束ねられたシート束
の１箇所又は複数箇所をステイプラＨによってステイプルして、積載部３２５に排出積載したり、ステイプルしないで、単に、フェイスダウンで積載部３２５に排出積載したりするようになっている。
【００１８】
また、ステイプラＨの上流側には、第１の計測手段および第２の計測手段の部分を構成するシート枚数検出センサ３０２が設けられている。このシート検出センサ３０２により、特殊紙がステイプラＨに供給される枚数を計測することができるとともに、特殊紙ではない普通紙がステイプラＨに供給される枚数を区別して計測することができる。なお、検出センサ３０２は複数のセンサから構成することも可能である。
【００１９】
次に、上述した画像形成装置において用いられるシート処理装置の綴じ処理方法について説明する。
【実施例１】
【００２０】
まず、この発明の実施例１による綴じ処理の一種としての綴じ針を用いたステイプル処理について説明する。綴じ処理としては綴じ針を用いる方法以外にも、例えばシート束に刻みを入れて綴じるもの、綴じ針ではなく紙を用いるもの等があるが、この実施例１については、上述したシート処理装置におけるステイプル処理について説明する。また、画像形成装置としては、レーザビームプリンタや複写機がある。ステイプル手段やステイプル装置としてのステイプラＨは、画像形成部と一体であっても、上述のように、オプションユニットとして画像形成部に装着されるものであってもよい。
【００２１】
また、ステイプラＨを制御する制御手段の一例としては、マイクロコンピュータ（マイコン）がある。このマイコンは、ステイプルの可否を判定する判定手段としても機能する。なお、ステイプラＨを制御するマイコンは、ステイプラＨの制御専用でも、画像形成部などのステイプラＨ以外のユニットとの共用でもよく、画像形成部に設けたり、シート処理装置に備えられたステイプラＨに内蔵させたりすることも可能である。また、マイコンは、上述した検出センサ３０２からの信号が供給され、ステイプラＨに供給されるシートの枚数をカウントする第１の計測手段および第２の計測手段の部分を構成する。
【００２２】
図２に、この発明の実施例１によるシート処理装置の制御を示す。図２に示すように、ステップＳ１０１〜ステップＳ１０６は、ステイプルするシートの１枚目から最終紙までをステイプラＨが受け取る期間の処理であり、ステップＳ１１１〜ステップＳ１１４は、最終紙をステイプラＨで受け取ってから束排紙するまでの処理である。
【００２３】
ステップＳ１０１において、ステイプラＨをコントロールするマイコンは、ステイプルするシートの１枚目を受け取る前に、２つのカウンタｎ，ｍを０にする。ｎはステイプルするシートの総枚数をカウントするカウンタである。ｍは、ステイプル束に含まれる特殊紙の枚数をカウントするカウンタである。
【００２４】
次に、ステップＳ１０２に移行して、ステイプラＨをコントロールするマイコンは、画像形成部からシートを受け取ると、ステップＳ１０３において、総枚数をカウントするカウンタｎに１加算する。
【００２５】
さらに、ステップＳ１０４において、受け取ったシートが特殊シートとしての特殊紙であるかが判断される。なお、この特殊紙は、例えば、フィルムメディアや、厚紙、または光沢紙などであるが、特殊紙としては、種々のシートを設定可能であり、ユーザや設計者によりマイコンに特殊紙の定義を設定することにより、あらゆるシートを特殊紙として設定することが可能である。そして、ステップＳ１０４において、マイコンにより特殊紙であると判断された段階で、ステップＳ１０５に移行して、カウンタｍに１が加算される。
【００２６】
他方、ステップＳ１０４において特殊紙ではないと判断されれば、カウンタｍは変更されることなくステップＳ１０６に移行する。ステップＳ１０６において、受け取ったシートが最終紙であるか否かの判断が実行される。このとき受け取ったシートが最終紙でなければ、ステップＳ１０２に移行して、ステップＳ１０２からステップＳ１０６が繰り返される。
【００２７】
ステップＳ１０６において最終紙であると判断された場合は、ステップＳ１１１に移行する。ステップＳ１１１においては、総枚数のカウンタｎの値と総枚数のステイプル上限値Ｎとが比較される。
【００２８】
ステップＳ１１１において、ｎがＮよりも大きいと判断された場合には、ステイプル処理を実行することなくステップＳ１１４に移行して、束の排紙が行われる。他方、ステップＳ１１１において、ｎがＮ以下であれば、ステップＳ１１２に移行する。
【００２９】
ステップＳ１１２においては、特殊紙のカウンタｍの値と、特殊紙のステイプル上限値Ｍとの比較が行われる。ステップＳ１１２において、ｍがＭよりも大きいと判断された場合、ステイプルすることなく、ステップＳ１１４に移行して、束の排紙が実行される。他方、ステップＳ１１２において、ｍがＭ以下であると判断された場合には、ステップＳ１１３に移行して、ステイプル処理が実行された後、ステップＳ１１４において束排紙が実行される。
【００３０】
以上説明したように、この実施例１によれば、総枚数上限値Ｎにおける制限と、特殊紙の上限値Ｍにおける制限を行うことによって、いずれの制限にも該当しない場合に、ステイプル処理を実行可能とすることにより、特殊紙を含むステイプル束を作成することができる。
【実施例２】
【００３１】
次に、この発明の実施例２によるシート処理装置の制御について説明する。図３に、この実施例２による綴じ処理としてのステイプル処理の制御方法を示す。
【００３２】
図３に示すように、ステップＳ２０１〜ステップＳ２０７に関しては、ステイプラＨがステイプルするシートの１枚目から最終紙までを受け取る処理である。また、ステップＳ２１１〜ステップＳ２１４は、最終紙がステイプラＨに供給されてから束排紙するまでの処理である。
【００３３】
まず、ステップＳ２０１において、ステイプラＨをコントロールするマイコンは、ステイプルするシートの１枚目を受け取る前に、カウンタｎを０にし、フラグf_enableをＯＮにする。ｎはステイプル処理を行うシートの総枚数をカウントするカウンタであり、フラグf_enableは、ステイプル処理の実行可否のフラグである。
【００３４】
すなわち、フラグf_enableがＯＦＦならばステイプル不可、ＯＮであればステイプル可とする。このフラグf_enableは、特殊紙がシート束の中の所定以外の位置に存在する場合にＯＦＦになるように設定される。そして、シート束の中の所定の位置以外の位置や所定の順番以外の順番に特殊紙が存在する場合にフラグf_enableをＯＦＦにすることにより、特殊紙が所定の位置の場合のみ、ステイプル処理を実行できる。なお、特殊紙が存在しない普通紙のみから構成されるシート束の場合においても、条件によってステイプル処理が行われる。
【００３５】
例えば、ステイプルされるシート束の表紙のみを特殊紙としたり、裏表紙のみを特殊紙
としたり、表表紙および裏表紙のみを特殊紙とする場合には、それぞれ最初の１枚目、最終紙、１枚目および最終紙に特殊紙が供給された場合のみ、フラグf_enableをＯＮのままとする。以下、この例の場合について説明する。
【００３６】
ステップＳ２０２において、画像形成部からシートを受け取ると、ステップＳ２０３に移行して、ステイプラＨをコントロールするマイコンにより、総枚数をカウントするカウンタｎに１が加算される。その後、ステップＳ２０４に移行する。
【００３７】
ステップＳ２０４においては、ステップＳ２０２において供給されたシートが最終紙であるか否かの判断が実行される。最終紙でないと判断された場合には、ステップＳ２０５に移行する。ステップＳ２０５においては、供給されたシートが１枚目であるか否かが判別される。ステップＳ２０５において、供給されたシートが１枚目であると判断された場合には、ステップＳ２０２に戻る。
【００３８】
他方、ステップＳ２０５において供給されたシートが１枚目でないと判断された場合、ステップＳ２０６に移行して、受け取ったシートが特殊紙であるか否かが判断される。
【００３９】
ステップＳ２０６において、供給されたシートが特殊紙でないと判断された場合には、ステップＳ２０２に戻る。他方、ステップＳ２０６において、供給されたシートが特殊紙であると判断された場合には、ステップＳ２０７に移行する。ステップＳ２０７においては、フラグf_enableがＯＦＦにされた後、ステップＳ２０２に戻る。
【００４０】
さて、ステップＳ２０４において、供給されたシートが最終紙であると判断された場合、ステップＳ２１１に移行する。ステップＳ２１１においては、総枚数のカウンタｎの値と総枚数のステイプル上限値Ｎとの比較が行われる。
【００４１】
ステップＳ２１１において、カウンタｎが上限値Ｎよりも大きいと判断された場合（ステップＳ２１１：ＮＯ）には、ステイプル処理を実行することなく、ステップＳ２１４に移行して、シート束の排紙処理が実行される。
【００４２】
他方、ステップＳ２１１において、カウンタｎが上限値Ｎ以下であると判断された場合（ステップＳ２１１：ＹＥＳ）、ステップＳ２１２に移行して、フラグf_enableがＯＮかＯＦＦの判断処理が実行される。
【００４３】
ステップＳ２１２において、フラグf_enableがＯＦＦである場合、ステイプル処理を実行することなく、ステップＳ２１４に移行して、シート束の排紙処理が実行される。他方、ステップＳ２１２において、フラグf_enableがＯＮである場合、ステップＳ２１３に移行して、ステイプル処理が実行された後、ステップＳ２１４に移行して、シート束の排紙処理が実行される。
【００４４】
以上説明したように、この実施例２によれば、また、利用者が理解し易いシート枚数でステイプル制限を行うことができる。また、総枚数上限値Ｎでの制限と、特殊紙の制限を行いつつ、特殊紙が表紙、裏表紙、または表紙および裏表紙の場合など、特定の位置に特殊紙が存在する場合にはステイプル処理を行って、特殊紙を含むステイプル束が作成可能になる。
【実施例３】
【００４５】
次に、この発明の実施例３による画像形成装置の制御について説明する。図４に、この実施例３によるステイプル処理の制御方法を示す。
【００４６】
図４に示すように、この実施例３による画像形成装置の制御においては、ステップＳ３０１〜ステップＳ３０６の処理について、実施例１における制御の処理と同様であるので、その説明を省略する。そして、ステップＳ３０１〜ステップＳ３０６の処理は、供給されたシートが最終紙であると判断されるまで繰り返される。
【００４７】
ステップＳ３０６において、供給されたシートが最終紙であると判断された段階で、ステップＳ３１０に移行する。ステップＳ３１０においては、実施例１と異なり、特殊紙を考慮した総枚数のステイプル処理の上限値Ｌの計算が実行される。
【００４８】
すなわち、特殊紙を含まない場合の総枚数のステイプル上限値Ｎと、特殊紙を含む場合の特殊紙の枚数ｍと、所定の係数ａとから、マイコンにより次式の計算が実行される。
Ｌ＝Ｎ−ａ×ｍ……（１）
なお、ａは正の値である。
【００４９】
この（１）式は、普通紙よりもステイプルが困難な特殊紙が含まれていることを考慮して、特殊紙を考慮した総枚数のステイプル上限値ＬをＮより少ない値に補正するものである。なお、特殊紙を含まない場合、すなわちｍ＝０の場合には、（１）式においてＬ＝Ｎとなり、特殊紙として定義されない普通紙におけるステイプル処理が実行される上限値となる。
【００５０】
次に、ステップＳ３１１に移行して、総枚数のカウンタｎの値と、特殊紙を考慮した総枚数のステイプル上限値Ｌとの比較判断処理が行われる。ステップＳ３１１において、ｎがＬより大きいと判断された場合（ステップＳ３１１：ＮＯ）、ステイプル処理が実行されることなく、ステップＳ３１４に移行して、シート束の排紙処理が実行される。
【００５１】
他方、ｎがＬ以下であると判断された場合（ステップＳ３１１：ＹＥＳ）、ステップＳ３１２に移行する。その後のステップＳ３１２〜ステップＳ３１４の処理については、実施例１と同様であるので説明を省略する。
【００５２】
この実施例３によれば、特殊紙の上限値Ｍにおける制限を実行しつつ、含まれる特殊紙の枚数により補正した総枚数上限値Ｌによって制限することにより、ステイプラＨへの負荷の上昇を抑制して、特殊紙を含むステイプルされたシート束を作成することが可能になる。また、利用者が理解し易いシート枚数でステイプル制限を行うことができる。
【実施例４】
【００５３】
次に、この発明の実施例４について説明する。実施例４によるステイプル処理の制御方法は、実施例１の処理と同様の図２に示す。なお、実施例１と同様の処理については、その説明を省略する。
【００５４】
すなわち、実施例４においては、ステイプラＨ内またはステイプラＨより上流のシート搬送路に、シート種検出手段としての紙種検出センサを設ける。そして、図２に示すように、ステップＳ１０４において、供給されるシートが特殊紙であるか否かの判断において用いる紙種情報を、この紙種検出センサによる検出結果の情報とする。
【００５５】
ここで、紙種検出手段による検出方法としては、光学式センサを用いた透過光量によりシートの厚みを検出する方法や、紙種検出手段としての光学式エリアセンサを用いて検知エリア内の反射光の明暗からシート表面の平坦度から識別する方法がある。なお、その他の処理については、実施例１におけると同様であるので、その説明を省略する。
【００５６】
この実施例４によれば、利用者が画像形成装置の操作パネルや画像形成装置に接続され
たコンピュータで紙種情報の設定を行わなかった場合や、紙種を設定し忘れた場合においても、特殊紙のステイプル制限を行うことが可能になる。さらに、特殊紙の枚数が特殊紙のステイプル上限枚数より少ない場合には、特殊紙を含むシート束をステイプル可能になる。
【実施例５】
【００５７】
次に、この発明の実施例５について説明する。実施例５によるステイプル処理の制御方法は、実施例１の処理と同様の図２に示す。なお、実施例１と同様の処理については、その説明を省略する。
【００５８】
図２に示すように、ステップＳ１０４において、供給されるシートが特殊紙であるか否かの判断において用いる紙種情報を、紙種がフィルムメディアまたは厚紙であった場合に、特殊紙であると判断するようにする。
【００５９】
これにより、ステイプル時のステイプラＨへの負荷が大きいフィルムメディアおよび厚紙を含むシート束のステイプル可否を判定可能になるとともに、制限を満たしている場合には、フィルムメディアおよび厚紙を含むシート束を作成可能になる。
【図面の簡単な説明】
【００６０】
【図１】この発明の一実施形態による画像形成装置を示す略線図である。
【図２】この発明の実施例１、実施例４および実施例５における画像形成装置のステイプル処理を示すフローチャートである。
【図３】この発明の実施例２による画像形成装置のステイプル処理を示すフローチャートである。
【図４】この発明の実施例３による画像形成装置のステイプル処理を示すフローチャートである。
【符号の説明】
【００６１】
１００  本体
１０１  感光体
１０２  レーザスキャナユニット
１０３  プロセスカートリッジ
１０４  転写器
１０５  定着器
１１０  プリンタ
１２１  給送ローラ
１２２  分離パッド
１２４  排出ローラ対
１２５  排出部
１３０  排出ローラ対
１５０  フラッパ
２００  給送カセット
３００  シート後処理装置
３００  プリンタ
３０５  シート積載部
３２５  積載部
３７０  シート整合部
【図１】
2007076835.tif 000003
【図２】
2007076835.tif 000004
【図３】
2007076835.tif 000005
【図４】
2007076835.tif 000006